【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
チッピング系列および減衰値を受け取り、前記減衰値に基づいて前記チッピング系列を減衰することにより、対応する混合系列を出力する減衰器と、
データ信号を受け取り、前記混合系列に応じて前記データ信号を変調して変調後のデータ信号を生成する混合器と、
前記変調後のデータ信号を受け取り、フィルタ処理した前記変調後のデータ信号を生成する積分器と、
前記フィルタ処理された変調後のデータ信号をサンプリングするサンプルアンドホールド回路と、
を備え、
前記減衰値は、前記チッピング系列を減衰することで、アナログデジタル変換において干渉信号のパワーが前記データ信号内に含まれる目的の信号に組み込まれる前に、ＲＦアナログフロントエンドにおいて、前記混合器によって前記データ信号内の干渉を除去できる前記混合系列となるように生成され、
さらに、前記減衰値が、圧縮サンプリング動作理論に基づく観測演算子を構成するために、前記データ信号内に含まれる目的の信号、前記データ信号内の予想される雑音、および前記データ信号内の予想される干渉のうちの少なくとも１つに関する情報に基づいて生成される、
信号のサンプリング回路。
【請求項２】
請求項１に記載の信号のサンプリング回路において、前記チッピング系列がランダム系列である、信号のサンプリング回路。
【請求項３】
請求項１に記載の信号のサンプリング回路において、前記チッピング系列が予め定められたパターンである、信号のサンプリング回路。
【請求項４】
アンテナからアナログＲＦ信号を受け取り、データ信号を出力するプリサンプリングフロントエンド回路と、
前記データ信号をサンプリングする圧縮サンプリング回路と、
を備えたＲＦフロントエンド回路であって、
前記圧縮サンプリング回路が、
チッピング系列および減衰値を受け取り、前記減衰値に基づいて前記チッピング系列を減衰することにより、対応する混合系列を出力する減衰器、
データ信号を受け取り、前記混合系列に応じて前記データ信号を変調して変調後のデータ信号を生成する混合器、
前記変調後のデータ信号を受け取り、フィルタ処理した前記変調後のデータ信号を生成する積分器、および
前記フィルタ処理された変調後のデータ信号をサンプリングすることにより、サンプリングされたデータ信号を生成するサンプルアンドホールド回路、
を含み、
前記減衰値は、前記チッピング系列を減衰することで、アナログデジタル変換において干渉信号のパワーが前記データ信号内に含まれる目的の信号に組み込まれる前に、ＲＦアナログフロントエンドにおいて、前記混合器によって前記データ信号内の干渉を除去できる前記混合系列となるように生成され、
さらに、前記減衰値が、圧縮サンプリング動作理論に基づく観測演算子を構成するために、前記データ信号内に含まれる目的の信号、前記データ信号内の予想される雑音、および前記データ信号内の予想される干渉のうちの少なくとも１つに関する情報に基づいて生成される、
ＲＦフロントエンド回路。
【請求項５】
請求項４に記載のＲＦフロントエンド回路において、さらに、前記サンプリングされたデータ信号を処理するデジタルプロセッサを後段に備える、ＲＦフロントエンド回路。
【請求項６】
請求項５に記載のＲＦフロントエンド回路において、前記デジタルプロセッサが、さらに信号エネルギー検出、目的の信号のフィルタリング、分類、および復調のうちの少なくとも１つを実行する、ＲＦフロントエンド回路。
【請求項７】
請求項５に記載のＲＦフロントエンド回路において、前記デジタルプロセッサが、前記圧縮サンプリング回路による干渉除去で干渉が存在しない前記サンプリングされたデータ信号を含むパラメータの下で動作する、ＲＦフロントエンド回路。
【請求項８】
チッピング系列および減衰値を受け取る過程と、
前記減衰値に基づいて前記チッピング系列を減衰することにより、対応する混合系列を出力する過程と、
前記混合系列に応じてデータ信号を変調して変調後のデータ信号を生成する過程と、
積分器により、フィルタ処理された変調後のデータ信号を生成する過程と、
前記フィルタ処理された変調後のデータ信号をサンプリングする過程と、
を含み、
前記チッピング系列の減衰により、アナログデジタル変換において干渉信号のパワーが前記データ信号内に含まれる目的の信号に組み込まれる前に、ＲＦアナログフロントエンドにおいて、前記データ信号内の干渉を除去し、
さらに、前記チッピング系列の減衰を、圧縮サンプリング動作理論に基づく観測演算子を構成するために、前記データ信号内に含まれる目的の信号、前記データ信号内の予想される雑音、および前記データ信号内の予想される干渉のうちの少なくとも１つに関する情報に基づいて実行する、
圧縮サンプリング方法。
【請求項９】
請求項８に記載の圧縮サンプリング方法において、前記チッピング系列がランダム系列である、圧縮サンプリング方法。
【請求項１０】
請求項８に記載の圧縮サンプリング方法において、前記チッピング系列が予め定められたパターンである、圧縮サンプリング方法。
【手続補正２】
【補正対象書類名】明細書
【補正対象項目名】００２７
【補正方法】変更
【補正の内容】
【００２７】
図６に、耐干渉性の広帯域圧縮サンプラとバックエンド側のＦＰＧＡ及びＤＳＰとが連結される一実施形態を示す。このバックエンド側で、図３に示すような信号再構成アルゴリズムやその他のデジタル処理が実行される。図示のように、耐干渉性の広帯域圧縮サンプラにおけるサンプルアンドホールド回路は、ＡＤＣ（例えば、デルタ−シグマ変換器など）と連結される。さらに、このＡＤＣは、バックエンド側のＦＰＧＡ／ＤＳＰと連結される。信号の再構成は、図６に示すようにプログラマブルシステムオンチップ（ＰＳｏＣ）（例えば、Cypress Semiconductor社製のCY8C55など）を用いて実行されてもよい。逐次デジタル処理タスク（例えば、前述したエネルギー検出、フィルタリング、分類（classification）、復調など）は、ＦＰＧＡおよび／またはＤＳＰを用いて実行されてもよい。これらのタスクは、従来の手法を用いてなし得るが、図３を参照しながら上で説明したように、デジタルプロセッサは干渉除去機能を省略することができる。このようにデジタルの干渉除去機能を省略することにより、デジタルプロセッサは、圧縮サンプリング回路により干渉除去され、サンプリングされたデータ信号入力を含むパラメータの下で動作させることができる。他の実施形態において、デジタルプロセッサは、重複する又は補助的な干渉除去機能を実装されてよく、さらなる性能向上を図るものであってもよい。
なお、本発明は、実施の態様として以下の内容を含む。
［態様１］
チッピング系列および減衰値を受け取り、前記減衰値に基づいて前記チッピング系列を減衰することにより、対応する混合系列を出力する減衰器と、
データ信号を受け取り、前記混合系列に応じて前記データ信号を変調して変調後のデータ信号を生成する混合器と、
前記変調後のデータ信号を受け取り、フィルタ処理した前記変調後のデータ信号を生成する積分器と、
前記フィルタ処理された変調後のデータ信号をサンプリングするサンプルアンドホールド回路と、
を備える、信号のサンプリング回路。
［態様２］
態様１に記載の信号のサンプリング回路において、前記減衰値は、前記混合器によって前記データ信号内の干渉を除去することのできる前記混合系列となるように前記チッピング系列を減衰するように生成される、信号のサンプリング回路。
［態様３］
態様２に記載の信号のサンプリング回路において、前記減衰値が、前記データ信号内に含まれる目的の信号、前記データ信号内の予想される雑音、および前記データ信号内の予想される干渉のうちの少なくとも１つに関する情報に基づいて生成される、信号のサンプリング回路。
［態様４］
態様１に記載の信号のサンプリング回路において、前記チッピング系列がランダム系列である、信号のサンプリング回路。
［態様５］
態様１に記載の信号のサンプリング回路において、前記チッピング系列が予め定められたパターンである、信号のサンプリング回路。
［態様６］
アンテナからアナログＲＦ信号を受け取り、データ信号を出力するプリサンプリングフロントエンド回路と、
前記データ信号をサンプリングする圧縮サンプリング回路と、
を備え、前記圧縮サンプリング回路が、
チッピング系列および減衰値を受け取り、前記減衰値に基づいて前記チッピング系列を減衰することにより、対応する混合系列を出力する減衰器、
データ信号を受け取り、前記混合系列に応じて前記データ信号を変調して変調後のデータ信号を生成する混合器、
前記変調後のデータ信号を受け取り、フィルタ処理した前記変調後のデータ信号を生成する積分器、および
前記フィルタ処理された変調後のデータ信号をサンプリングすることにより、サンプリングされたデータ信号を生成するサンプルアンドホールド回路、
を含む、ＲＦフロントエンド回路。
［態様７］
態様６に記載のＲＦフロントエンド回路において、前記減衰値は、前記混合器によって前記データ信号内の干渉を除去することのできる前記混合系列となるように前記チッピング系列を減衰するように生成される、ＲＦフロントエンド回路。
［態様８］
態様７に記載のＲＦフロントエンド回路において、さらに、前記サンプリングされたデータ信号を処理するデジタルプロセッサを後段に備える、ＲＦフロントエンド回路。
［態様９］
態様８に記載のＲＦフロントエンド回路において、前記デジタルプロセッサが、さらに信号エネルギー検出、目的の信号のフィルタリング、分類、および復調のうちの少なくとも１つを実行する、ＲＦフロントエンド回路。
［態様１０］
態様８に記載のＲＦフロントエンド回路において、前記デジタルプロセッサが、前記圧縮サンプリング回路による干渉除去で干渉が存在しない前記サンプリングされたデータ信号を含むパラメータの下で動作する、ＲＦフロントエンド回路。
［態様１１］
チッピング系列および減衰値を受け取る過程と、
前記減衰値に基づいて前記チッピング系列を減衰することにより、対応する混合系列を出力する過程と、
前記混合系列に応じてデータ信号を変調して変調後のデータ信号を生成する過程と、
積分器により、フィルタ処理された変調後のデータ信号を生成する過程と、
前記フィルタ処理された変調後のデータ信号をサンプリングする過程と、
を含む、圧縮サンプリング方法。
［態様１２］
態様１１に記載の圧縮サンプリング方法において、前記チッピング系列の減衰により、前記データ信号内の干渉を除去する、圧縮サンプリング方法。
［態様１３］
態様１２に記載の圧縮サンプリング方法において、前記チッピング系列の減衰を、前記データ信号内に含まれる目的の信号、前記データ信号内の予想される雑音、および前記データ信号内の予想される干渉のうちの少なくとも１つに関する情報に基づいて実行する、圧縮サンプリング方法。
［態様１４］
態様１１に記載の圧縮サンプリング方法において、前記チッピング系列がランダム系列である、圧縮サンプリング方法。
［態様１５］
態様１１に記載の圧縮サンプリング方法において、前記チッピング系列が予め定められたパターンである、圧縮サンプリング方法。